(57)【特許請求の範囲】
【請求項１】
機器との連結が可能に構成され、当該機器に連結されると当該機器との電気的な接続を担うコネクタと、
線状部材を折り返して構成し、チューナに入力される信号を受信する受信アンテナと、
前記チューナが備えるグランドに接続され、線状部材を折り返して構成し、前記受信アンテナと離間すると共に当該受信アンテナを取り囲むように配置され、当該受信アンテナを広帯域化すると共に当該受信アンテナの指向特性を変更する付加アンテナと、
を含み、
前記受信アンテナの先端部が当該受信アンテナの基部と前記付加アンテナの基部との間に位置し、当該受信アンテナの基部が当該受信アンテナの先端部と当該付加アンテナの先端部との間に位置することを特徴とする受信装置。
【請求項２】
前記受信アンテナと前記付加アンテナのいずれか一方又は両方に設けられ、線状部材をコイル状にしたコイル部を更に含むことを特徴とする請求項１に記載の受信装置。
【請求項３】
前記受信アンテナの中間部と前記付加アンテナの中間部との離間距離が略同一であることを特徴とする請求項１に記載の受信装置。
【請求項４】
前記受信アンテナと前記付加アンテナとが一体に構成されていることを特徴とする請求項１に記載の受信装置。
【請求項５】
機器との連結が可能に構成され、当該機器に連結されると当該機器との電気的な接続を担うコネクタと、
チューナに入力される信号を受信する受信アンテナと、
前記チューナが備えるグランドに接続され、前記受信アンテナを広帯域化すると共に当該受信アンテナの指向特性を変更する付加アンテナと、
を含み、
前記受信アンテナ及び前記付加アンテナは、アンテナ線材で構成され、当該アンテナ線材の両端が互いに近傍に位置する折曲げ形状であり、
前記付加アンテナは、前記受信アンテナと離間して配置され、かつ、当該受信アンテナにより囲まれる領域以外の領域で当該受信アンテナを取り囲むように配置され、
前記受信アンテナの先端部が当該受信アンテナの基部と前記付加アンテナの基部との間に位置し、当該受信アンテナの基部が当該受信アンテナの先端部と当該付加アンテナの先端部との間に位置することを特徴とする受信装置。
【発明の詳細な説明】
【技術分野】
【０００１】
本発明は、例えばパーソナルコンピュータや携帯ゲーム機等の電子機器に接続して用いる受信装置に関するものである。
【背景技術】
【０００２】
テレビ受信機能を付加した各種の電子機器が近年登場している。例えば、パーソナルコンピュータ（以下、パソコンと略称する）においては、チューナを備え、ＴＶ放送を受信できるようにしたものがある。このようなチューナ付のパソコンでは、外部にアンテナを設け、このアンテナで受信したＴＶ信号をチューナにより選局して表示装置に表示している（例えば、特許文献１参照）。
【０００３】
この特許文献１には、キーボードと、このキーボードに連結されるとともに上方に設けられた表示部とから成るパーソナルコンピュータと、このパーソナルコンピュータ内に設けられたテレビ受信部とを備えた構成が開示されている。そして、特許文献１には、テレビ受信部は、同調アンテナに接続されたチューナ部と復調部を有し、このテレビ受信部の出力は信号処理回路で処理され、パーソナルコンピュータの表示部に接続されるとともに、同調アンテナは表示部の上方に配置される構成が開示されている。
【０００４】
【特許文献１】特開２００３−１７９８３２号公報
【発明の開示】
【発明が解決しようとする課題】
【０００５】
ところが、このようなテレビ受信部を備えているパソコンは未だ一部であり、その多くのパソコンには、テレビ受信部が備わっていない。また、携帯ゲーム機には、テレビ受像部が備わっていない。
その一方で、地上波のＵＨＦ帯を使用して開始された地上デジタル放送が開始され、携帯情報端末で受信してもきれいな映像で視聴できるようになっている。このような環境下で、パソコンや携帯ゲーム機のコネクタに接続して用いる受信装置がユーザに提供されている。この受信装置は、受信アンテナ及びチューナを有するので、テレビ受信部が備わっていないパソコンや携帯ゲーム機でも、本体側の画面でテレビ放送を視聴することが可能になる。
【０００６】
ここで、パソコン自体や携帯ゲーム機自体がノイズ発生源になることから、従来の受信装置を本体側のコネクタに接続すると、そのノイズの影響を受信アンテナに与え、受信感度を低下させてしまう。しかしながら、従来から提案されている技術では、このような受信感度の低下に対して十分な対策を行うことができていない。
【０００７】
本発明は、以上のような技術的課題を解決するためになされたものであり、その目的とするところは、接続する機器が発するノイズの影響を軽減して受信感度を向上させることが可能な受信装置を提供することにある。
【課題を解決するための手段】
【０００８】
かかる目的のもと、本発明が適用される受信装置は、機器との連結が可能に構成され、当該機器に連結されると当該機器との電気的な接続を担うコネクタと、線状部材を折り返して構成し、チューナに入力される信号を受信する受信アンテナと、前記チューナが備えるグランドに接続され、線状部材を折り返して構成し、前記受信アンテナと離間すると共に当該受信アンテナを取り囲むように配置され、当該受信アンテナを広帯域化すると共に当該受信アンテナの指向特性を変更する付加アンテナと、を含み、前記受信アンテナの先端部が当該受信アンテナの基部と前記付加アンテナの基部との間に位置し、当該受信アンテナの基部が当該受信アンテナの先端部と当該付加アンテナの先端部との間に位置することを特徴とするものである。
【０００９】
ここで、前記受信アンテナと前記付加アンテナのいずれか一方又は両方に設けられ、線状部材をコイル状にしたコイル部を更に含むことを特徴とすることができる。また、前記受信アンテナの中間部と前記付加アンテナの中間部との離間距離が略同一であることを特徴とすることができる。また、前記受信アンテナと前記付加アンテナとが一体に構成されていることを特徴とすることができる。
【００１０】
他の観点から捉えると、本発明が適用される受信装置は、機器との連結が可能に構成され、当該機器に連結されると当該機器との電気的な接続を担うコネクタと、チューナに入力される信号を受信する受信アンテナと、前記チューナが備えるグランドに接続され、前記受信アンテナを広帯域化すると共に当該受信アンテナの指向特性を変更する付加アンテナと、を含み、前記受信アンテナ及び前記付加アンテナは、アンテナ線材で構成され、当該アンテナ線材の両端が互いに近傍に位置する折曲げ形状であり、前記付加アンテナは、前記受信アンテナと離間して配置され、かつ、当該受信アンテナにより囲まれる領域以外の領域で当該受信アンテナを取り囲むように配置され、前記受信アンテナの先端部が当該受信アンテナの基部と前記付加アンテナの基部との間に位置し、当該受信アンテナの基部が当該受信アンテナの先端部と当該付加アンテナの先端部との間に位置することを特徴とするものである。
【発明の効果】
【００１１】
本発明によれば、接続する機器が発するノイズの影響を軽減して受信感度を向上させることが可能になる。
【発明を実施するための最良の形態】
【００１２】
以下、添付図面を参照して、本発明の実施の形態について詳細に説明する。
図１は、本実施の形態に係る受信装置１を携帯ゲーム機３に接続した状態を示す斜視図である。なお、本実施の形態では、電子装置の一例としての携帯ゲーム機（機器）３に受信装置１を接続した構成を示しているが、例えば図示しないパソコン等の他の電子装置に受信装置１を接続することも可能である。
図１に示すように、携帯ゲーム機３の本体部３１は、不使用時には折り畳まれ、使用時に開かれる折りたたみ式構造である。そして、本体部３１は、専用ソフトカードが差し込まれる図示しないスロットを有する。また、本体部３１は、ユーザが視聴する図示しない表示部（表示画面、ディスプレイ）及び図示しない内蔵のスピーカと、ユーザが音声を入力できる内蔵のマイクと、ユーザが操作する図示しないボタン等の操作部と、外部とのワイヤレス通信を可能にする図示しない内蔵の無線通信機能部と、を有する。なお、表示部に、表示画面上を押さえることで入力可能なタッチパネルを配置することも考えられる。
【００１３】
本体部３１の後ろ側（図１の手前側）は、ＵＳＢ対応の接続機器が接続されるＵＳＢポート３２と、電力供給するためのＡＣアダプタに接続されるジャック端子３５と、を有する。図１に示す受信装置１には、ＵＳＢポート３２に受信装置１が装着されている。なお、ここにいうＵＳＢとは、コンピュータ等に周辺機器を接続するためのシリアルバス規格の一つであり、Universal Serial Busの略語である。
【００１４】
図２は、受信装置１及び携帯ゲーム機３の各構成を示す概略構成図である。
図２に示すように、本実施の形態に係る受信装置１は、本体部（装置本体）１１、ＵＳＢコネクタ１２、チューナ１３及びアンテナ部２を備えている。このアンテナ部２は、本体部２１、受信アンテナ４及び付加アンテナ５を備えている。受信アンテナ４はアンテナ長が伸縮しない固定長であり、また、付加アンテナ５も同様に、アンテナ長が伸縮しない固定長である。受信アンテナ４及び付加アンテナ５は、アンテナ線材で構成されている。
【００１５】
ＵＳＢコネクタ１２は、携帯ゲーム機３のＵＳＢポート３２に接続するための部品である。すなわち、ＵＳＢコネクタ１２をＵＳＢポート３２に挿入すると、受信装置１と携帯ゲーム機３側とが信号ケーブルＧＮＤ，Ｄ−，Ｄ＋，ＶBUSによって互いに接続される。これにより、受信装置１は、携帯ゲーム機３から電源供給を受けることが可能になり、かつ、携帯ゲーム機３のＣＰＵ（制御部、演算部）３３等との間で各種の情報の授受を行うことが可能になる。
なお、携帯ゲーム機３の記憶部３４には、受信装置１のチューナ１３を制御するためのアプリケーションが予め格納されている。この記憶部３４としては、例えばＨＤＤ、フラッシュメモリ、ＥＥＰＲＯＭ等の各種の記憶媒体で構成することができる。
【００１６】
チューナ１３は、アンテナ部２の受信アンテナ４と接続されて構成されており、ＵＳＢコネクタ１２を介して携帯ゲーム機３から供給される電力を用いて作動する。チューナ１３の構成については後述する。
【００１７】
アンテナ部２の付加アンテナ５は、チューナ１３のグランドに接続されている。すなわち、受信装置１が携帯ゲーム機３に接続されると、付加アンテナ５は、ＵＳＢコネクタ１２を介して携帯ゲーム機３側のグランドに接地される。
【００１８】
更に説明すると、携帯ゲーム機３やパソコン等の電子機器には、稼動中にノイズの発生源（ノイズ源）となるものが数多くある。これらのノイズ源としては、例えば、ＣＰＵ３３の冷却用ファン、電源及び記憶部３４としてのＨＤＤの回転音やアクセス音等を挙げることができる。このような各種のノイズ源からのノイズを受信すると、ユーザが所望する放送の受信状態を悪化させてしまう。しかしながら、本実施の形態のアンテナ部２を用いると、後述するように、ユーザが所望する放送の受信状態を改善することが可能になる。
【００１９】
図３は、受信装置１の受信アンテナ４で受信した電波の処理を説明するためのブロック図である。
図３に示すように、チューナ１３は、物理チャンネルを選択し、信号増幅を行ってベースバンド信号を出力するＲＦ部１３１と、ベースバンド信号をデジタル変換するＡＤＣ１３２と、ベースバンド信号を復調してストリーム信号に変換するＦＦＴ１３３と、ストリーム信号を復号（デコード）してデジタルビデオ信号を出力する復号部１３４と、デジタルビデオ信号をアナログ変換して出力するＤＡＣ１３５と、を有する。ＤＡＣ１３５から出力されたアナログビデオ信号は、ＣＰＵ３３に入力される。
【００２０】
そして、携帯ゲーム機３のＣＰＵ３３は、チューナ１３のシステム制御を行う。すなわち、ＣＰＵ３３は、ＲＦ部１３１に対し増幅度の制御及び周波数の設定を行い、ＦＦＴ１３３に対しガードインターバルの範囲でＦＦＴ解析区間の位置を調整し、復号部１３４に対しストリーム信号を映像に復号するための制御を行う。
【００２１】
そして、携帯ゲーム機３のＣＰＵ３３は、受信装置１のＵＳＢコネクタ１２がＵＳＢポート３２に挿入されたことを検知すると、記憶部３４に予め格納されているアプリケーションを起動し、ユーザに指示されたチャンネルの地上デジタル放送（いわゆるワンセグ放送や１２セグ放送）を本体部３１（図２参照）の図示しない表示画面及び図示しないスピーカに出力する。このようにして、ユーザは所望の番組を視聴することができる。
【００２２】
図４は、図２に示すアンテナ部２のアンテナ構成例を説明する概略構成図である。
図４に示すアンテナ部２は、略コ字状に形成した折曲げ形状の受信アンテナ４と、受信アンテナ４よりも大きい略コ字状に形成した折曲げ形状の付加アンテナ５と、を備えている。すなわち、受信アンテナ４及び付加アンテナ５はいずれも、略９０度に折り曲げられた角部を２個所有する。言い換えると、受信アンテナ４は、基部（基端、根元側）４１から先端部４２に向けて２箇所の角部にて同じ方向に折り曲げられ、同様に、付加アンテナ５は、基部５１から先端部５２に向けて２箇所の角部にて同じ方向に折り曲げられている。別の言い方をすると、受信アンテナ４は、基部４１から先端部４２へと延びる直線部分４３は、来た方向に戻るように折り返す形状に形成され、また、付加アンテナ５は、基部５１から先端部５２へと延びる直線部分５３は、来た方向に戻るように折り返す形状に形成されている。
【００２３】
受信アンテナ４と付加アンテナ５とは、互いに離間して配置されている。受信アンテナ４と付加アンテナ５とは、受信アンテナ４の直線部分４３と付加アンテナ５の直線部分５３が互いに略平行となるように配置されている。また、直線部分４３，５３同士の離間距離は、略同一である。付言すると、受信アンテナ４と付加アンテナ５とは、アンテナ部２の本体部２１に固定されており、受信アンテナ４と付加アンテナ５との相対的な位置関係や姿勢が変わらないように構成されている。
【００２４】
受信アンテナ４及び付加アンテナ５は、平面的に配置される。すなわち、受信アンテナ４及び付加アンテナ５は、図４の紙面と平行な面に対して交差角度を持たないように配置されている。なお、実際に製品化する際には、多少の交差角度を持たせるように構成することも考えられる。
なお、受信アンテナ４及び付加アンテナ５としては、アンテナ素材として、直径０．５ｍｍの銅線を用いることが可能である。
【００２５】
この受信アンテナ４は、基部４１がチューナ１３（図２参照）に接続され、先端部４２は自由端である。受信アンテナ４の基部４１と先端部４２とが互いに近傍に位置し、かつ、基部４１と先端部４２とが互いに離間している。
【００２６】
付加アンテナ５の基部５１は、チューナ１３からＵＳＢコネクタ１２（図２参照）を介して携帯ゲーム機３に接地される信号ケーブルＧＮＤに接続されている。先端部５２は、自由端である。
【００２７】
付加アンテナ５の基部５１と先端部５２とは互いに離間している。基部５１と先端部５２との間には、受信アンテナ４の基部４１及び先端部４２が位置している。そして、受信アンテナ４の基部４１及び先端部４２と付加アンテナ５の基部５１及び先端部５２とは、いずれも互いに離間している。すなわち、付加アンテナ５の基部５１は、受信アンテナ４の基部４１及び先端部４２と互いに離間している。また、付加アンテナ５の先端部５２は、受信アンテナ４の基部４１及び先端部４２と互いに離間している。
【００２８】
更に説明すると、付加アンテナ５の基部５１は、受信アンテナ４の先端部４２に隣接し、付加アンテナ５の先端部５２は、受信アンテナ４の基部４１に隣接している。言い換えると、受信アンテナ４の先端部４２は、付加アンテナ５の基部５１と受信アンテナ４の基部４１との間に位置している。付加アンテナ５の先端部５２は、受信アンテナ４の基部４１と近位であり、かつ、受信アンテナ４の先端部４２とは遠位である。付加アンテナ５の基部５１は、受信アンテナ４の先端部４２と近位であり、かつ、受信アンテナ４の基部４１とは遠位である。
【００２９】
また、矢印Ｘの方向に関し、受信アンテナ４の基部４１と先端部４２との相対的な位置は、距離δ４だけずれている。また、矢印Ｘの方向に関し、付加アンテナ５の基部５１と先端部５２との相対的な位置は、距離δ５だけずれている。この距離δ４，δ５の値は、製品化する際の設計値であり、距離δ４と距離δ５との値は相互に異なる場合も考えられ、また、零の場合（図５Ａ又は図５Ｂを参照）も考えられる。
【００３０】
付加アンテナ５は、受信アンテナ４を取り囲むように配置されている。言い換えると、付加アンテナ５は、受信アンテナ４により囲まれる（画定される）領域Ａ以外の領域に配置され、受信アンテナ４を包囲するように配置されている。
【００３１】
図５Ａ及び図５Ｂは、図２に示すアンテナ部２の他のアンテナ構成例を説明する概略構成図である。
図５Ａ及び図５Ｂに示すアンテナ構成例は、基本的には図４に示すアンテナ構成例と同じである。すなわち、図５Ａ及び図５Ｂに示すアンテナ部２は、略コ字状に形成した折曲げ形状の受信アンテナ４と、受信アンテナ４よりも大きい略コ字状に形成した折曲げ形状の付加アンテナ５と、を備えている。この点で、図４に示すアンテナ部２と共通する。しかしながら、図５Ａに示す受信アンテナ４及び付加アンテナ５は、直線部分４３の途中に形成された２つの角部がアール形状である。また、図５Ｂに示す受信アンテナ４及び付加アンテナ５は、略Ｕ字状であり、直線部分４３の途中に、１８０度折れ曲がる半円形状部（ヘアピンカーブ形状部）が１箇所設けられている。
【００３２】
なお、図５Ａ及び図５Ｂでは、受信アンテナ４及び付加アンテナ５について、距離δ４，δ５（図４参照）が零になる場合を図示している。すなわち、矢印Ｘの方向に関し、受信アンテナ４の基部４１と先端部４２との相対的な位置は同じであり、かつ、付加アンテナ５の基部５１と先端部５２との相対的な位置は同じである。
【００３３】
図６の（ａ）〜（ｄ）及び図７の（ａ）〜（ｄ）は、図２に示すアンテナ部２の他のアンテナ構成例を説明する概略構成図である。なお、図６の（ａ）〜（ｄ）及び図７の（ａ）〜（ｄ）の各々は、図４に示すアンテナ部２のアンテナ構成例の変形例を示すものである。そして、特に図示はしないが、図５Ａ及び図５Ｂに示すアンテナ部２についても、図６の（ａ）〜（ｄ）及び図７の（ａ）〜（ｄ）に示す同様の変形例が考えられる。
図６の（ａ）〜（ｄ）の各々に示すアンテナ構成例では、受信アンテナ４と付加アンテナ５の両方に、コイル部分４４，５４が配設されている。また、図７の（ａ）〜（ｄ）の各々に示すアンテナ構成例では、受信アンテナ４と付加アンテナ５のいずれか一方に、コイル部分４４，５４が配設されている。
【００３４】
まず、図６のアンテナ構成例について具体的に説明する。
図６の（ａ）〜（ｄ）の各々に示す受信アンテナ４は、基部４１と先端部４２との間に直線部分４３及びコイル部分４４が配設されている。すなわち、受信アンテナ４は、直線部分４３及びコイル部分４４とが連続して直列的に接続されることで一体に構成されている。また、同図の（ａ）〜（ｄ）の各々に示す付加アンテナ５は、基部５１と先端部５２との間に直線部分５３及びコイル部分５４が配設され、直線部分５３及びコイル部分５４とが連続して直列的に接続されることで一体に構成されている。
【００３５】
ここにいうコイル部分４４は、直線部分４３と同じ素材のアンテナ線材をらせん状に巻いて形成されている。また、コイル部分５４は、直線部分５３と同じ素材のアンテナ線材をらせん状に巻いて形成されている。なお、受信アンテナ４で用いるアンテナ線材と付加アンテナ５で用いるアンテナ素材とは同じものを用いることも考えられ、互いに異なるものを用いることも考えられる。また、コイル部分４４，５４のピッチや径等は、製品化する際に最適な値を用いる。
【００３６】
図６の（ａ）に示すアンテナ構成例では、受信アンテナ４は、基部４１寄りに直線部分４３が位置し、また、先端部４２寄りにコイル部分４４が位置している。付加アンテナ５は、基部５１寄りに直線部分５３が位置し、また、先端部５２寄りにコイル部分５４が位置している。
【００３７】
図６の（ｂ）に示すアンテナ構成例では、受信アンテナ４は、基部４１寄りにコイル部分４４が位置し、また、先端部４２寄りに直線部分４３が位置している。付加アンテナ５は、基部５１寄りにコイル部分５４が位置し、また、先端部５２寄りに直線部分５３が位置している。
【００３８】
図６の（ｃ）に示すアンテナ構成例では、受信アンテナ４は、基部４１寄りに直線部分４３が位置し、また、先端部４２寄りにコイル部分４４が位置している。付加アンテナ５は、基部５１寄りにコイル部分５４が位置し、また、先端部５２寄りに直線部分５３が位置している。
【００３９】
図６の（ｄ）に示すアンテナ構成例では、受信アンテナ４は、基部４１寄りにコイル部分４４が位置し、また、先端部４２寄りに直線部分４３が位置している。付加アンテナ５は、基部５１寄りに直線部分５３が位置し、また、先端部５２寄りにコイル部分５４が位置している。
【００４０】
図７のアンテナ構成例について具体的に説明する。
図７の（ａ）及び（ｂ）の各々に示す受信アンテナ４は、基部４１と先端部４２との間に直線部分４３が配設されており、コイル部分４４が配設されていない。そして、付加アンテナ５は、基部５１と先端部５２との間に直線部分５３及びコイル部分５４が配設され、直線部分５３及びコイル部分５４とが連続して直列的に接続されることで一体に構成されている。
また、図７の（ｃ）及び（ｄ）の各々に示す受信アンテナ４は、基部４１と先端部４２との間に直線部分４３及びコイル部分４４が配設され、直線部分４３及びコイル部分４４とが連続して直列的に接続されることで一体に構成されている。そして、付加アンテナ５は、基部５１と先端部５２との間に直線部分５３が配設されており、コイル部分５４が配設されていない。
【００４１】
図７の（ａ）に示すアンテナ構成例では、付加アンテナ５は、基部５１寄りに直線部分５３が位置し、また、先端部５２寄りにコイル部分５４が位置している。また、同図の（ｂ）に示すアンテナ構成例では、付加アンテナ５は、基部５１寄りにコイル部分５４が位置し、また、先端部５２寄りに直線部分５３が位置している。
【００４２】
図７の（ｃ）に示すアンテナ構成例では、受信アンテナ４は、基部４１寄りに直線部分４３が位置し、また、先端部４２寄りにコイル部分４４が位置している。また、同図の（ｄ）に示すアンテナ構成例では、受信アンテナ４は、基部４１寄りに直線部分４３が位置し、また、先端部４２寄りにコイル部分４４が位置している。
【００４３】
図８は、図２に示すアンテナ部２の他のアンテナ構成例を説明する概略構成図である。
図８に示すアンテナ部２は、図４の場合と同じく、略コ字状に形成した折曲げ形状の受信アンテナ４と、受信アンテナ４よりも大きい略コ字状に形成した折曲げ形状の付加アンテナ５と、を備えている。
なお、図８に示すアンテナ部２は、矢印Ｘの方向に関し、受信アンテナ４の基部４１と先端部４２との相対的な位置は同じであり、かつ、付加アンテナ５の基部５１と先端部５２との相対的な位置は同じである。
【００４４】
図８に示すアンテナ部２は、受信アンテナ４の基部４１及び先端部４２は、付加アンテナ５の基部５１と先端部５２との間に位置している点で図４の場合と共通する。その一方で、付加アンテナ５に対する受信アンテナ４の基部４１及び先端部４２の位置関係が図４の場合と異なる。
【００４５】
この異なる点について具体的に説明すると、図４の場合には、付加アンテナ５の基部５１は、受信アンテナ４の先端部４２に隣接し、付加アンテナ５の先端部５２は、受信アンテナ４の基部４１に隣接している。すなわち、付加アンテナ５の基部５１は、受信アンテナ４の先端部４２と近位であり、かつ、受信アンテナ４の基部４１とは遠位である。また、付加アンテナ５の先端部５２は、受信アンテナ４の基部４１と近位であり、かつ、受信アンテナ４の先端部４２とは遠位である。
これに対し、図８に示すアンテナ部２では、付加アンテナ５の基部５１は、受信アンテナ４の基部４１に隣接し、付加アンテナ５の先端部５２は、受信アンテナ４の先端部４２に隣接している。すなわち、付加アンテナ５の基部５１は、受信アンテナ４の基部４１と近位であり、かつ、受信アンテナ４の先端部４２とは遠位である。また、付加アンテナ５の先端部５２は、受信アンテナ４の先端部４２と近位であり、かつ、受信アンテナ４の基部４１とは遠位である。
【００４６】
図９の（ａ）〜（ｄ）及び図１０の（ａ）〜（ｄ）は、図２に示すアンテナ部２の他のアンテナ構成例を説明する概略構成図である。なお、図９の（ａ）〜（ｄ）及び図１０の（ａ）〜（ｄ）の各々は、図４に示すアンテナ部２のアンテナ構成例の変形例を示すものである。付言すると、図９の（ａ）〜（ｄ）の各々に示すアンテナ構成例では、受信アンテナ４と付加アンテナ５の両方に、コイル部分４４，５４が配設されており、この点で、図６の（ａ）〜（ｄ）に対応するものと言える。また、図１０の（ａ）〜（ｄ）の各々に示すアンテナ構成例では、受信アンテナ４と付加アンテナ５のいずれか一方に、コイル部分４４，５４が配設されており、この点で、図７の（ａ）〜（ｄ）に対応するものと言える。
図９の（ａ）は、受信アンテナ４の先端部４２寄りにコイル部分４４が配設されると共に付加アンテナ５の先端部５２寄りにコイル部分５４が配設された構成である。図９の（ｂ）は、受信アンテナ４の基部４１寄りにコイル部分４４が配設されると共に付加アンテナ５の基部５１寄りにコイル部分５４が配設された構成である。図９の（ｃ）は、受信アンテナ４の先端部４２寄りにコイル部分４４が配設されると共に付加アンテナ５の基部５１寄りにコイル部分５４が配設された構成である。図９の（ｄ）は、受信アンテナ４の基部４１寄りにコイル部分４４が配設されると共に付加アンテナ５の先端部５２寄りにコイル部分５４が配設された構成である。
【００４７】
図１０の（ａ）は、付加アンテナ５の先端部５２寄りにコイル部分５４が配設された構成であり、同図の（ｂ）は、付加アンテナ５の基部５１寄りにコイル部分５４が配設された構成である。また、図１０の（ｃ）は、受信アンテナ４の先端部４２寄りにコイル部分４４が配設された構成であり、同図の（ｄ）は、受信アンテナ４の基部４１寄りにコイル部分４４が配設された構成である。
【００４８】
図１１は、図２に示すアンテナ部２の他のアンテナ構成例を説明する概略構成図である。
図１１に示すアンテナ構成例は、円弧状に形成したアーチ形状の受信アンテナ４と、受信アンテナ４よりも半径が大きいアーチ形状の付加アンテナ５と、を備えている。すなわち、図１１に示すアンテナ部２では、受信アンテナ４及び付加アンテナ５の形状が図４、図５Ａ及び図５Ｂの場合と異なる。しかしながら、受信アンテナ４と付加アンテナ５との位置関係は、同じである。すなわち、付加アンテナ５は、受信アンテナ４と離間すると共に受信アンテナ４を取り囲むように配置されている。言い換えると、付加アンテナ５は、受信アンテナ４により囲まれる領域Ａ以外の領域で受信アンテナ４を取り囲むように配置されている。
【００４９】
図１１に示す受信アンテナ４及び付加アンテナ５は、直線部分４３，５３に相当する線状部分４５，５５で構成されているが、図６の（ａ）〜（ｄ）及び図７の（ａ）〜（ｄ）に示す変形例のようにコイル部分４４，５４を含む構成も考えられる。
【００５０】
図１２Ａ〜図１２Ｈの各々は、本実施の形態に係るアンテナ構成例においてノイズ源からの距離を変えた場合の受信アンテナ４の受信レベルを示すグラフである。すなわち、図１２Ａ〜図１２Ｈの上側のグラフは、ノイズ源からの距離対効果周波数特性を示すグラフである。更に説明すると、各グラフは、受信アンテナ４のノイズ源（図１に示す携帯ゲーム機３）側（０度方向、ノイズ到来方向）の特性を破線で示すと共にノイズ源とは反対側（１８０度方向、ノイズ到来方向とは反対の方向、付加アンテナ５が位置する側）の特性を実線で示している。各グラフの縦軸は、受信アンテナ４が受信した電波をスペクトラムアナライザで測定したスペアナレベル（ｄＢμ）であり、横軸が周波数（ＭＨｚ）である。また、図１２Ａ〜図１２Ｈの下側のグラフは、ＶＳＷＲ（Voltage Standing Wave Ratio）特性を示すものであり、縦軸はＶＳＷＲ値（比）、横軸は周波数（ＭＨｚ）である。なお、図１２Ａに示す地デジ帯域は、４７０〜７７０ＭＨｚの範囲である。
【００５１】
図１２Ａは、ノイズ源と受信アンテナ４との離間距離が１ｃｍの場合、図１２Ｂは、ノイズ源と受信アンテナ４との離間距離が２ｃｍの場合、図１２Ｃは、ノイズ源と受信アンテナ４との離間距離が３ｃｍの場合、図１２Ｄは、ノイズ源と受信アンテナ４との離間距離が４ｃｍの場合、図１２Ｅは、ノイズ源と受信アンテナ４との離間距離が５ｃｍの場合、図１２Ｆは、ノイズ源と受信アンテナ４との離間距離が１０ｃｍの場合、図１２Ｇは、ノイズ源と受信アンテナ４との離間距離が１５ｃｍの場合、図１２Ｈは、ノイズ源と受信アンテナ４との離間距離が２０ｃｍの場合の周波数特性を示している。
【００５２】
図１３は、図１２Ａ〜図１２Ｈの各々における特定の周波数の０度方向と１８０度方向との受信レベル比を示すグラフであり、縦軸がノイズブロック効果（ｄＢ）で、横軸がノイズ源からアンテナ端面までの離間距離（ｃｍ）である。
図１３に示すグラフは、図１２Ａ〜図１２Ｈでの４７０ＭＨｚ、５００ＭＨｚ、５５０ＭＨｚ、６２０ＭＨｚ及び７７０ＭＨｚの値を基に作成されたものである。図１３から明らかなように、ノイズ源からアンテナ部２までの離間距離が約２ｃｍの場合に、輻射ノイズ（４７０〜７７０ＭＨｚ）において、５乃至１７ｄＢのノイズブロック効果がある。
【００５３】
図１４Ａ〜図１４Ｇの各々は、本実施の形態に係るアンテナ構成例においてノイズ源からの距離を固定にした場合の所定角度での受信アンテナ４の受信レベルを示すグラフである。すなわち、図１４Ａ〜図１４Ｇの上側のグラフは、角度対効果特性を示すグラフである。更に説明すると、各グラフは、アンテナ部２とアンテナ部２から所定距離離間して配置されたノイズ源とを上から見下ろしたときの所定の角度での周波数特性を示すグラフであり、１８０度がノイズ源とは反対側の位置（付加アンテナ５が設けられている位置）である。ここにいう角度は、時計方向に回転させた場合の値である。また、ノイズ源とアンテナ部２との離間距離は２ｃｍである。各グラフの縦軸は、受信アンテナ４が受信した電波をスペクトラムアナライザで測定したスペアナレベル（ｄＢμ）であり、横軸が周波数（ＭＨｚ）である。また、図１４Ａ〜図１４Ｇの下側のグラフは、ＶＳＷＲ特性を示すものであり、縦軸はＶＳＷＲ値（比）、横軸は周波数（ＭＨｚ）である。
【００５４】
図１４Ａ〜図１４Ｇの上側のグラフは、０度方向（電波到来方向）の受信レベルを破線で示しており、更に、図１４Ａは４５度方向の場合、図１４Ｂは９０度方向の場合、図１４Ｃは１３５度方向の場合、図１４Ｄは１８０度方向の場合、図１４Ｅは２２５度方向の場合、図１４Ｆは２７０度方向の場合、図１４Ｇは３１５度方向の場合の周波数特性を実線で示している。
【００５５】
図１５は、図１４Ａ〜図１４Ｇの各々における特定の周波数の測定結果を示すレーダーチャートであり、縦軸は、スペアナレベル（ｄＢ）である。
図１５に示すレーダーチャートは、図１４Ａ〜図１４Ｇでの４７０ＭＨｚ、６２０ＭＨｚ及び７７０ＭＨｚの値を基に作成されたものである。図１５から明らかなように、ノイズ到来方向である１８０度で最もノイズブロック効果が高いことが分かる。
【００５６】
図１６Ａ〜図１６Ｃは、モノポールアンテナとの特性比較を示すグラフである。図１６Ａの上側のグラフは、４７０ＭＨｚモノポールアンテナ（１４ｃｍ）との特性を比較したグラフであり、図１６Ｂの上側のグラフは、６２０ＭＨｚモノポールアンテナ（１２ｃｍ）との特性を比較したグラフであり、図１６Ｃの上側のグラフは、７７０ＭＨｚモノポールアンテナ（８ｃｍ）との特性を比較したグラフである。離間距離は１０ｃｍである。各グラフの縦軸は、受信アンテナ４が受信した電波をスペクトラムアナライザで測定したスペアナレベル（ｄＢμ）であり、横軸が周波数（ＭＨｚ）である。また、図１６Ａ〜図１６Ｃの下側のグラフは、ＶＳＷＲ特性を示すものであり、縦軸はＶＳＷＲ値（比）、横軸は周波数（ＭＨｚ）である。
図１６Ａの実線は１４ｃｍモノポール、図１６Ｂの実線は１２ｃｍモノポール、図１６Ｃの実線は８ｃｍモノポールの場合を示している。図１６Ａ〜図１６Ｃから明らかなように、本実施の形態のアンテナ構成例は、モノポールアンテナに対して良好な周波数特性を有する。
【００５７】
このように本実施の形態に係る受信装置１は、ノイズを効果的にブロックすることができる。一般的に受信装置をノイズ源の近くに設置すると、アンテナ受信状態を悪化させてしまい、受信感度を低下させることになる。しかしながら、本実施の形態のように、受信アンテナ４及び付加アンテナ５を有するアンテナ部２を用いると、付加アンテナ５が放射器として作用し、これにより受信アンテナ４の受信感度を改善することができる。
【００５８】
図１７は、応用例としての受信装置６を示す概略構成図である。すなわち、図１７に示す構成は、携帯ゲーム機３等の電子装置にチューナ１３が内蔵された場合の応用例である。そのような場合には、ＵＳＢ接続ではなく、図示しないイヤホンジャックに受信装置６が接続されることになる。
図１７に部分的に示す受信装置６は、アンテナ部２及びプラグ７で構成されている。更に説明すると、受信装置６は、図２に示す受信装置１が備える本体部１１、ＵＳＢコネクタ１２及びチューナ１３を備えていない。そして、受信装置６は、図２に示すＵＳＢコネクタ１２の代わりに、電子装置側の図示しないイヤホンジャックに差込み可能なプラグ７を備えている。
プラグ７は、アンテナ部２と回動可能な回動軸８を有する。このため、プラグ７とアンテナ部２とは相対移動可能である。また、プラグ７は、絶縁部９を有する。
【００５９】
他の応用例としては、アンテナ部２のみで構成される図示しない受信装置も考えられる。すなわち、電子装置の内部にアンテナ部２を収容可能な空間が存在する場合には、電子装置にアンテナ部２を内蔵するように構成することも考えられる。これにより、ＴＶ放送を視聴する際に電子装置に受信装置を接続する手間がなくなり、また、電子装置から突出する部分が減る。このため、電子装置の使い勝手やデザイン、質感を向上させることが可能になる。
【図面の簡単な説明】
【００６０】
【図１】本実施の形態に係る受信装置を携帯ゲーム機に接続した状態を示す斜視図である。
【図２】受信装置及び携帯ゲーム機の各構成を示す概略構成図である。
【図３】受信装置の受信アンテナで受信した電波の処理を説明するためのブロック図である。
【図４】図２に示すアンテナ部のアンテナ構成例を説明する概略構成図である。
【図５Ａ】図２に示すアンテナ部の他のアンテナ構成例を説明する概略構成図である。
【図５Ｂ】図２に示すアンテナ部の他のアンテナ構成例を説明する概略構成図である。
【図６】（ａ）〜（ｄ）は、図２に示すアンテナ部の他のアンテナ構成例を説明する概略構成図である。
【図７】（ａ）〜（ｄ）は、図２に示すアンテナ部の他のアンテナ構成例を説明する概略構成図である。
【図８】図２に示すアンテナ部の他のアンテナ構成例を説明する概略構成図である。
【図９】（ａ）〜（ｄ）は、図２に示すアンテナ部の他のアンテナ構成例を説明する概略構成図である。
【図１０】（ａ）〜（ｄ）は、図２に示すアンテナ部の他のアンテナ構成例を説明する概略構成図である。
【図１１】図２に示すアンテナ部の他のアンテナ構成例を説明する概略構成図である。
【図１２Ａ】本実施の形態に係るアンテナ構成例においてノイズ源からの距離を変えた場合の受信アンテナの受信レベル及びＶＳＷＲを示すグラフである。
【図１２Ｂ】本実施の形態に係るアンテナ構成例においてノイズ源からの距離を変えた場合の受信アンテナの受信レベル及びＶＳＷＲを示すグラフである。
【図１２Ｃ】本実施の形態に係るアンテナ構成例においてノイズ源からの距離を変えた場合の受信アンテナの受信レベル及びＶＳＷＲを示すグラフである。
【図１２Ｄ】本実施の形態に係るアンテナ構成例においてノイズ源からの距離を変えた場合の受信アンテナの受信レベル及びＶＳＷＲを示すグラフである。
【図１２Ｅ】本実施の形態に係るアンテナ構成例においてノイズ源からの距離を変えた場合の受信アンテナの受信レベル及びＶＳＷＲを示すグラフである。
【図１２Ｆ】本実施の形態に係るアンテナ構成例においてノイズ源からの距離を変えた場合の受信アンテナの受信レベル及びＶＳＷＲを示すグラフである。
【図１２Ｇ】本実施の形態に係るアンテナ構成例においてノイズ源からの距離を変えた場合の受信アンテナの受信レベル及びＶＳＷＲを示すグラフである。
【図１２Ｈ】本実施の形態に係るアンテナ構成例においてノイズ源からの距離を変えた場合の受信アンテナの受信レベル及びＶＳＷＲを示すグラフである。
【図１３】図１２Ａ〜図１２Ｈの各々における特定の周波数における０度方向と１８０度方向との受信レベル比を示すグラフである。
【図１４Ａ】本実施の形態に係るアンテナ構成例においてノイズ源からの距離を固定にした場合の所定角度での受信アンテナの受信レベルを示すグラフである。
【図１４Ｂ】本実施の形態に係るアンテナ構成例においてノイズ源からの距離を固定にした場合の所定角度での受信アンテナの受信レベルを示すグラフである。
【図１４Ｃ】本実施の形態に係るアンテナ構成例においてノイズ源からの距離を固定にした場合の所定角度での受信アンテナの受信レベルを示すグラフである。
【図１４Ｄ】本実施の形態に係るアンテナ構成例においてノイズ源からの距離を固定にした場合の所定角度での受信アンテナの受信レベルを示すグラフである。
【図１４Ｅ】本実施の形態に係るアンテナ構成例においてノイズ源からの距離を固定にした場合の所定角度での受信アンテナの受信レベルを示すグラフである。
【図１４Ｆ】本実施の形態に係るアンテナ構成例においてノイズ源からの距離を固定にした場合の所定角度での受信アンテナの受信レベルを示すグラフである。
【図１４Ｇ】本実施の形態に係るアンテナ構成例においてノイズ源からの距離を固定にした場合の所定角度での受信アンテナの受信レベルを示すグラフである。
【図１５】図１４Ａ〜図１４Ｇの各々における特定の周波数の測定結果を示すレーダーチャートである。
【図１６Ａ】モノポールアンテナとの特性比較を示すグラフである。
【図１６Ｂ】モノポールアンテナとの特性比較を示すグラフである。
【図１６Ｃ】モノポールアンテナとの特性比較を示すグラフである。
【図１７】応用例としての受信装置を示す概略構成図である。
【符号の説明】
【００６１】
１，６…受信装置、１２…ＵＳＢコネクタ、１３…チューナ、２…アンテナ部、３…携帯ゲーム機、３２…ＵＳＢポート、４…受信アンテナ、４１，５１…基部、４２，５２…先端部、４３，５３…直線部分、４４，５４…コイル部分、４５，５５…線状部分、５…付加アンテナ、７…プラグ、８…回動軸、９…絶縁部
【図１】
0004358265.tif 000002
【図２】
0004358265.tif 000003
【図３】
0004358265.tif 000004
【図４】
0004358265.tif 000005
【図５Ａ】
0004358265.tif 000006
【図５Ｂ】
0004358265.tif 000007
【図６】
0004358265.tif 000008
【図７】
0004358265.tif 000009
【図８】
0004358265.tif 000010
【図９】
0004358265.tif 000011
【図１０】
0004358265.tif 000012
【図１１】
0004358265.tif 000013
【図１２Ａ】
0004358265.tif 000014
【図１２Ｂ】
0004358265.tif 000015
【図１２Ｃ】
0004358265.tif 000016
【図１２Ｄ】
0004358265.tif 000017
【図１２Ｅ】
0004358265.tif 000018
【図１２Ｆ】
0004358265.tif 000019
【図１２Ｇ】
0004358265.tif 000020
【図１２Ｈ】
0004358265.tif 000021
【図１３】
0004358265.tif 000022
【図１４Ａ】
0004358265.tif 000023
【図１４Ｂ】
0004358265.tif 000024
【図１４Ｃ】
0004358265.tif 000025
【図１４Ｄ】
0004358265.tif 000026
【図１４Ｅ】
0004358265.tif 000027
【図１４Ｆ】
0004358265.tif 000028
【図１４Ｇ】
0004358265.tif 000029
【図１５】
0004358265.tif 000030
【図１６Ａ】
0004358265.tif 000031
【図１６Ｂ】
0004358265.tif 000032
【図１６Ｃ】
0004358265.tif 000033
【図１７】
0004358265.tif 000034